(57)【要約】【課題】角度調整範囲が大きく，しかも，マストと壁面などの多様な取付け場所に，簡単に取り付けができる。【解決手段】ボルト３９の首下３９ａが遊挿自在に挿通されたアンテナ取付具３０と，アンテナ装置１の支持部２０からなるアンテナ取付装置２において，支持部にボルトの先端部に形成された第１雄ネジ部３９ｂを挿入するＵ字状溝２２を設けた。このためアンテナ取付具の内側に突出した第１雄ネジ部の存在があっても，ボルトを垂下したままで，アンテナ取付具を支持部に一方向にスライドするだけで挿着でき，組み付けの邪魔になることがない。しかも，その組み付けで，アンテナ取付具の上側の突出片３８に形成されたネジ孔の軸心と，支持部に形成された貫通孔２９の軸心と，アンテナ取付具の下側の突出片３７に形成されたネジ孔の軸心が一致し，ボルトを持ち上げれば上側のネジ孔に容易に螺合でき，アンテナ取付装置２が簡単且つ素早く組み立てられる。【選択図】  図５
2010226150.tif 000002
【特許請求の範囲】
【請求項１】
アンテナ装置の背面に形成された支持部と，該支持部を回動可能に支持するアンテナ取付具からなり，前記アンテナ装置の角度を調整可能に支持するアンテナ取付装置において，
前記支持部は，前記アンテナ装置の背面に設けられ，相互に略平行な一対の端面を備えた支持体と，該支持体の内部に前記端面に直交する方向に軸心を有するように形成された貫通孔と，前記支持体の一方の端面側に設けられ，底部が前記貫通孔の内面と連通するように形成された溝であって，前記支持体の一方の端面から他方の端面側に向かって所定長の長さだけ前記支持体の背面側を開口するように形成されたＵ字状溝と，を備えてなり，
前記アンテナ取付具は，背面側に前記アンテナ装置の取付対象である支持物に対する取付手段を備えた矩形状の基体と，当該基体の前記取付手段とは反対側に突出させることによって，前記支持体の端面を挟み込むように対向配置された一対の板体であって，前記端面を挟んだときに前記貫通孔と対向する位置に雌ネジ部を設けた，前記支持部を螺着手段で持って回動可能に支持するように形成された突出片と，を備えてなり，
前記螺着手段は，前記一対の突設片の間隔より長い寸法に形成され，その先端部の，前記支持部に形成された前記Ｕ字状溝の所定長より僅かに短い長さとなる範囲だけに前記雌ネジ部に対応する第１雄ネジ部が設けられ，しかも，ボルト頭から第１雄ネジ部まで続く首下の径が，前記雌ネジ部の径より僅かに細径となるように形成された半ネジタイプのボルトからなり，
前記支持部と前記アンテナ取付具との組付けは，前記螺着手段の前記第１雄ネジ部を，前記一方の突出片に設けられた前記雌ネジ部側から螺合した状態で，前記螺合手段を前記一方の突出片の外方向に突出させたまま，前記支持部の背面側から前方に向かって，前記他方の突出片は，その先端部が前記アンテナ装置の背面に当接するまで，前記前記支持部の他方の端面に摺動させながら装着すると共に，前記螺着手段の前記第１雄ネジ部を，前記支持部の前記Ｕ字状溝の開口部から底部に当て付けるまで挿入しつつ，前記一方の突出片は，前記支持部の一方の端面に摺動させながら装着することによって，他方の突設片に設けられた前記雌ネジ部の軸心と，前記支持部の前記貫通孔の軸心と，前記一方の突設片に設けられた前記雌ネジ部の軸心を略一致させ，更に，前記螺着手段の第１雄ネジ部を，前記他方の突設片に設けられた前記雌ネジ部に螺合することによって，前記支持部が前記アンテナ取付具に回動可能に取付けられ，また，前記螺着手段が緊締されたときは前記支持部が前記アンテナ取付具に回動不能に取付けられることを特徴としたアンテナ取付装置。
【請求項２】
アンテナ装置の背面に形成された支持部と，該支持部を回動可能に支持するアンテナ取付具からなり，前記アンテナ装置の角度を調整可能に支持するアンテナ取付装置において，
前記支持部は，前記アンテナ装置の背面に設けられ，相互に略平行な一対の端面を備えた支持体と，該支持体の内部に前記端面に直交する方向に軸心を有するように形成された貫通孔と，前記支持体の一方の端面側に設けられ，底部が前記貫通孔の内面と連通するように形成された溝であって，前記支持体の一方の端面から他方の端面側に向かって所定長の長さだけ前記支持体の背面側を開口するように形成されたＵ字状溝と，前記支持体の他方の端面における前記貫通孔の周囲から所定寸法の位置に同心的に設けられた周壁から構成された手段であって，前記貫通孔の背面側に開口部を備え，多くとも前記貫通孔の前面側の半周を囲うように設けられた半円状の受止手段と，前記一方の端面における前記Ｕ字状溝の底部の前面側に備えられた手段であって，前記所定寸法と同じ寸法だけ離れた所に位置決め手段と，を備えてなり，
前記アンテナ取付具は，背面側に前記アンテナ装置の取付対象である支持物に対する取付手段を備えた矩形状の基体と，当該基体の前記取付手段とは反対側に突出させることによって，前記支持体の端面を挟み込むように対向配置された一対の板体であって，前記端面を挟んだときに前記貫通孔と対向する位置に雌ネジ部を設けた，前記支持部を螺着手段で持って回動可能に支持するように形成された突出片と，を備えてなり，
前記一対の突出片における他方の突出片は，前記基体と連設された先端に向かって次第に幅が狭くなるテーパ状の折返片の先端部に延設するように形成された，前記受止手段に当接するための平面体であって，前記受止手段より周径が僅かに小さい曲率を有するように湾曲した形状で，しかも，その略中央部に前記雌ネジ部を設けた他方の当接部を備えており，
また，前記一対の突出片における一方の突出片は，前記基体と連設された先端に向かって次第に幅が狭くなるテーパ状の折返片の先端部に形成された，前記一方の端面に当接するための平面体であって，その先端部は，前記他方の突出片の前記当接部の周径と略等しい曲率を有するように湾曲した形状で，しかも，その略中央部に前記雌ねじ部を設けた一方の当接部を備えており，
更に，前記螺着手段は，前記一対の突設片の間隔より長い寸法に形成され，その先端部の，前記支持部に形成された前記Ｕ字状溝の所定長より僅かに短い長さとなる範囲だけに前記雌ネジ部に対応する第１雄ネジ部が設けられ，しかも，ボルト頭から第１雄ネジ部まで続く首下の径が，前記雌ネジ部の径より僅かに細径となるように形成された半ネジタイプのボルトからなり，
前記支持部と前記アンテナ取付具との組付けは，前記螺着手段の前記第１雄ネジ部を，前記一方の突設片の当接部に設けられた前記雌ネジ部側から螺合した状態で，前記螺合手段を前記一方の突出片の外方向に突出させたまま，前記支持部の背面側から前方に向かって，前記他方の突出片の当接部は，前記支持部の他方の端面に形成された前記受止手段に嵌まり込むように，前記受止手段の開口部から摺動させながら挿着すると共に，前記螺着手段の前記第１雄ネジ部を，前記支持部の前記Ｕ字状溝の開口部から底部に挿入しつつ，前記一方の突出片の当接部は，前記支持部の一方の端面に形成された前記位置決め手段に当接するまで摺動させながら装着することによって，前記他方の突出片の当接部に設けられた雌ネジ部の軸心と，前記支持部の前記貫通孔の軸心と，前記一方の突出片の当接部に設けられた雌ネジ部の軸心を略一致させ，更に，前記螺着手段の第１雄ネジ部を，前記他方の突出片の当接部に設けられた前記雌ネジ部に螺合することによって，前記支持部が前記アンテナ取付具に回動可能に取付けられ，また，前記螺着手段が緊締されたときは前記支持部が前記アンテナ取付具に回動不能に取付けられることを特徴としたアンテナ取付装置。
【請求項３】
前記螺着手段は，前記第１雄ネジ部に加え，前記ボルト頭から前記第１雄ネジ部まで続く首下の中間部位に，前記一方の突設片に設けられた前記雌ネジ部との間で数回転螺合するようなネジ山数に形成された第２雄ネジ部を備えてなり，
前記支持部と前記アンテナ取付具との組付けにおいて，前記螺着手段の前記第１雄ネジ部が，前記一方の突設片に設けられた前記雌ネジ部に螺合した状態から，引き続き前記第２雄ネジ部が前記雌ネジ部に螺合するか，若しくは，更に進めて前記第２雄ネジ部と前記ボルト頭の間における首下が，前記一方の突設片に設けられた前記雌ネジ部に遊挿自在となるまで挿通したときに，前記第２雄ネジ部から前記第１雄ネジ部にかけて続くボルトの大半が，前記支持部に形成された前記貫通孔内に位置するように構成したことを特徴とした請求項１または請求項２の何れか一項に記載のアンテナ取付装置。
【請求項４】
前記他方の突出片は，当該突出片に設けられた前記雌ネジ部に引き続き，前記一方の突出片側に向かう方向に順次同心に列設するように設けられ，その内径が前記他方の突出片に設けられた前記雌ネジ部における内径より僅かに大きい寸法となるように形成された抱持部を備えており，
前記支持部と前記アンテナ取付具との組付けにおいて，前記螺着手段の前記第１雄ネジ部が，前記一方の突設片に設けられた前記雌ネジ部に螺合した状態から，引き続き前記第２雄ネジ部が前記雌ネジ部に螺合するか，若しくは，更に進めて前記第２雄ネジ部と前記ボルト頭の間における首下が，前記一方の突設片に設けられた前記雌ネジ部に遊挿自在となるまで挿通したときに，前記第１雄ネジ部の先端部が，前記他方の突出片に形成された前記抱持部内に位置するように構成したことを特徴とした請求項３に記載のアンテナ取付装置。
【請求項５】
前記支持部の支持体は，上下に略平行な一対の端面を備えており，
前記アンテナ取付具の突出片は，前記支持体の端面を挟み込むように前記基体の上下に対向するように備えられており，
前記螺合手段は，前記第１雄ネジ部を前記一方の突設片に設けられた前記雌ネジ部に螺合した状態から更に進めて，前記第１雄ネジ部に続く首下を前記一方の突設片に設けられた前記雌ネジ部に遊挿自在に挿通されており，
前記支持部と前記アンテナ取付具との組付けは，前記螺合手段を前記一方の突出片から垂下させた状態のまま行うことを特徴とした請求項１から請求項４の何れか一項に記載のアンテナ取付装置。
【請求項６】
前記アンテナ取付具を構成する前記基体が備えた前記取付手段は，アンテナマストに取り付けるための抱持手段と，当該抱持手段を挟むように備えた壁面に取り付けるための一対の当付手段と，からなり，
しかも前記基体は，当該基体と前記アンテナ装置が正対したときの前記アンテナ装置の第１投影面の内側にその全てが配置される大きさで形成されており，一方，前記アンテナ装置の角度を一方側に最大に傾けた場合における前記アンテナ装置の第２投影面に対しては，前記基体は，前記第２投影面の外郭の何れかより外側に，前記基体の一方の当付手段の一部若しくは全てが突出するように配置される大きさに形成したことを特徴とした請求項１から請求項５の何れか一項に記載のアンテナ取付装置。
【請求項７】
前記螺着手段の前記第１雄ネジ部を，前記一方の突出片に設けられた前記雌ネジ部に螺合した状態，若しくは，前記第１雄ネジ部に続く首下を，前記一方の突出片に設けられた前記雌ネジ部に挿通し，前記螺合手段を前記一方の突出片から垂下させた状態で，前記螺合手段を前記一方の突出片の外方向に突出させたまま，前記支持部と前記アンテナ取付具とを組付けたときに，前記螺着手段は前記アンテナ装置の投影面における外郭より外方向に大きく突出するように構成したことを特徴とした請求項１から請求項６の何れか一項に記載のアンテナ取付装置。
【発明の詳細な説明】
【技術分野】
【０００１】
本発明は，アンテナを取付け対象である支持物に取付けるための取付装置に関し，詳しくは，角度調整範囲が大きく，しかも，マストと壁面などの多様な取付け場所に，簡単に取り付けができる取付装置に関する。
【背景技術】
【０００２】
従来，例えばテレビアンテナのように，方位角等の角度調整が必要なアンテナ取付装置には，角度調整範囲が大きく，しかも調整機構の小型化と簡素化を図った構成のものが求められている。一例として，金属体からなる本体部と，当該本体部の両端に互いに対向するように立設し，その先端部が半円形に形成され，しかもその中央部に挿通孔を備えた一対の起立部からなる角度調整具と，細長い矩形状の金属体であって，その一面における中央部に縦方向にＶ字状溝部を備えた本体部と，他面には前記本体部から突出するように設けられ，その先端部が半円形に形成された一対の突出部からなり，当該一対の突出部における一方の第１突出部には，半円状に形成された先端部の中央部にねじ孔が形成されており，また他方の第２突出部には，半円状に形成された先端部の中央部から所定長の軸部が，前記ねじ孔に向かって延伸するように形成された固定具とを備えたアンテナ取付装置が提供されており，前記第２突出部に形成された前記軸部を，前記角度調整具の一方の起立部に形成された挿通孔に挿通すると共に，前記角度調整具の他方の起立部に形成された挿通孔側から蝶ボルトを挿通し，固定具の第２突出部に形成されているねじ孔に螺合することによって，角度調整具が固定具に対して回転可能に固着されるように構成されている。
【０００３】
この取付装置によれば，固定具の第２突出部に形成された軸部を角度調整具の起立部に形成した挿通孔に挿入すれば，固定具の第１突出部に形成されたねじ孔の軸心と角度調整具の起立部に形成した挿通孔の軸心を略一致させることができるため，前記蝶ボルトの前記挿通孔からの挿入と，前記ねじ孔に対する螺合が容易にできる。そして，このように組み立てられた取付装置は，前記蝶ボルトを緩めればアンテナの例えば仰角等を所望の角度で調整することができ，アンテナの仰角を調整した後は，蝶ボルトを緊締することで調整した仰角を維持することができる。（特許文献１  特に図２１）
【０００４】
また異なる例として衛星アンテナの仰角調整機能を備えたアンテナ取付装置について説明する。この実施例では，支持部材に水平方向に固着されるパイプと，このパイプの両端部内側に形成されたテーパ部と，上記パイプの一方のテーパ部に配置され，中心軸に挿通孔が設けられると共に外周面がテーパ状に形成された第１のワッシャ部材と，上記パイプの他方のテーパ部に配置され，中心軸に雌ネジ部が形成されると共に外周面がデーパ状に形成された第２のワッシャ部材と，上記第１及び第２のワッシャ部材に固着され，外周面がテーパ状に形成されたアンテナ支持板と，上記第１のワッシャ部材の挿通孔からパイプ内に挿入され，先端に形成されたねじ部が上記第２のワッシャ部材に形成された雌ネジ部と螺合するボルトと，このボルトの締付により上記第１及び第２のワッシャ部材の外周面を上記パイプのテーパ部に圧接してワッシャ部材と共にアンテナ支持板の位置を固定する手段とを具備し，上記アンテナの支持板の回転位置によりアンテナ仰角を調整することを特徴としたアンテナ取付装置が提供されている。
【０００５】
この取付装置によれば，アンテナ支持板にワッシャ部材が溶接等によって挟持されており，当該ワッシャ部材を使って，製造段階でパイプを挟み込むように備える構成であるので，ワッシャ部材の軸心とパイプの軸心が，予め一致した状態で組みつけられており，ボルトの挿入に特別な困難さは認められないといった利点を有している。また，一本のボルトを締め付けるだけで，上記パイプの両端内側に形成されたテーパ部に，ワッシャ部材の外周面を圧接させることができるので，アンテナの仰角を広い角度範囲で容易に調整することができる。
更にこの実施形態では，前記パイプはアンテナ支持板によって着脱不能に装着されていると共に，前記パイプの下側中央部において方位角調整アームの先端とＴ字状に溶接されていることから，この実施形態における取付具は，アンテナ支持板（構成によっては，当該アンテナ支持板とパラボラアンテナとの間に介在する金具も含む。），パイプ，方位角調整アームに加え，少なくとも固定部材（壁面等）に取付けるための支持板までもが，出荷の段階から一体に組み上げられているため，アンテナの設置に当たっては，支持アームをパラボラアンテナに組付け，更に，当該パラボラアンテナをアンテナ支持板に固着すれば，直ちに方位角と仰角の調整ができ利便性が良い。（特許文献２  特に図６，図８）
【先行技術文献】
【特許文献】
【０００６】
【特許文献１】特開２００７−１３４８６４号公報
【特許文献２】特開２００１−３６３１３号公報
【発明の概要】
【発明が解決しようとする課題】
【０００７】
ところが，特許文献１の図２１で示される従来技術のようなアンテナ取付装置では，蝶ボルトを締め付けたり緩めたりすることによって仰角の調整ができることから，仰角の調整方法は簡単であるといった利点を有するものの，一方，前記固定具には前記軸部を型成する必要があることから，その構造が複雑になってコストが高くなると言う点で問題があった。また，角度調整具と固定具の組み立てにあっては，固定具に形成された前記軸部を，角度調整具に形成された起立部に挿入してから，蝶ボルトによる螺合と言った手順で行うため，組み立ての開始において，先ずアンテナを持ったまま，角度調整具と固定具の位置を前記軸部の軸方向に相互にズラし，更には，前記軸部の軸心と，前記起立部に形成された挿通孔の軸心とを一致させながら前記軸部を挿入する手順となるため，その装着手順は手間の掛かるものであり，例えばアンテナが大きかったり重かったりした場合や，アンテナの背面側が視認しにくい場合などの条件が加われば，その挿入操作は更に困難になると言った問題があった。
【０００８】
一方，特許文献２の図６及び図８で示されるアンテナ取付装置では，上述したように，取付装置が出荷の段階から予め組み上がった状態にあることによって，例えば，取付装置の重量が重くなることによる梱包作業の作業効率の悪化，取付装置の外径形状が大きくなることによる梱包材の大型化と，それに伴う強度性能の向上によるコストアップ，更には，荷姿が大きくなることによる運賃のコストアップ，といったデメリットが考えられる。
更に，この従来技術では，パラボラアンテナと取付装置との組み付けについて何らの検討が加えておらず，その作業手順は従来のままである。
そこで本願においては，こうした問題点を解決するためになされたものであり，
その目的は，角度調整機構が簡単であっても，角度調整範囲が大きいアンテナ取付装置を提供することにある。
他の目的は，アンテナ装置の装着が容易に行えるアンテナ取付装置を提供することにある。
他の目的は，アンテナマストと壁面の２様の取り付けが簡単にできるアンテナ取付装置を提供することにある。
他の目的は，フェイル・セイフ機能を備えた信頼性の高いアンテナ取付装置を提供することにある。
【課題を解決するための手段】
【０００９】
上記課題を解決するために，アンテナ装置の背面に形成された支持部と，該支持部を回動可能に支持するアンテナ取付具からなり，前記アンテナ装置の角度を調整可能に支持するアンテナ取付装置において，
前記支持部は，前記アンテナ装置の背面に設けられ，相互に略平行な一対の端面を備えた支持体と，該支持体の内部に前記端面に直交する方向に軸心を有するように形成された貫通孔と，前記支持体の一方の端面側に設けられ，底部が前記貫通孔の内面と連通するように形成された溝であって，前記支持体の一方の端面から他方の端面側に向かって所定長の長さだけ前記支持体の背面側を開口するように形成されたＵ字状溝と，を備えてなり，
前記アンテナ取付具は，背面側に前記アンテナ装置の取付対象である支持物に対する取付手段を備えた矩形状の基体と，当該基体の前記取付手段とは反対側に突出させることによって，前記支持体の端面を挟み込むように対向配置された一対の板体であって，前記端面を挟んだときに前記貫通孔と対向する位置に雌ネジ部を設けた，前記支持部を螺着手段で持って回動可能に支持するように形成された突出片と，を備えてなり，
前記螺着手段は，前記一対の突設片の間隔より長い寸法に形成され，その先端部の，前記支持部に形成された前記Ｕ字状溝の所定長より僅かに短い長さとなる範囲だけに前記雌ネジ部に対応する第１雄ネジ部が設けられ，しかも，ボルト頭から第１雄ネジ部まで続く首下の径が，前記雌ネジ部の径より僅かに細径となるように形成された半ネジタイプのボルトからなり，
前記支持部と前記アンテナ取付具との組付けは，前記螺着手段の前記第１雄ネジ部を，前記一方の突出片に設けられた前記雌ネジ部側から螺合した状態で，前記螺合手段を前記一方の突出片の外方向に突出させたまま，前記支持部の背面側から前方に向かって，前記他方の突出片は，その先端部が前記アンテナ装置の背面に当接するまで，前記前記支持部の他方の端面に摺動させながら装着すると共に，前記螺着手段の前記第１雄ネジ部を，前記支持部の前記Ｕ字状溝の開口部から底部に当て付けるまで挿入しつつ，前記一方の突出片は，前記支持部の一方の端面に摺動させながら装着することによって，他方の突設片に設けられた前記雌ネジ部の軸心と，前記支持部の前記貫通孔の軸心と，前記一方の突設片に設けられた前記雌ネジ部の軸心を略一致させ，更に，前記螺着手段の第１雄ネジ部を，前記他方の突設片に設けられた前記雌ネジ部に螺合することによって，前記支持部が前記アンテナ取付具に回動可能に取付けられ，また，前記螺着手段が緊締されたときは前記支持部が前記アンテナ取付具に回動不能に取付けられるように構成される。
【００１０】
請求項２の発明は，アンテナ装置の背面に形成された支持部と，該支持部を回動可能に支持するアンテナ取付具からなり，前記アンテナ装置の角度を調整可能に支持するアンテナ取付装置において，
前記支持部は，前記アンテナ装置の背面に設けられ，相互に略平行な一対の端面を備えた支持体と，該支持体の内部に前記端面に直交する方向に軸心を有するように形成された貫通孔と，前記支持体の一方の端面側に設けられ，底部が前記貫通孔の内面と連通するように形成された溝であって，前記支持体の一方の端面から他方の端面側に向かって所定長の長さだけ前記支持体の背面側を開口するように形成されたＵ字状溝と，前記支持体の他方の端面における前記貫通孔の周囲から所定寸法の位置に同心的に設けられた周壁から構成された手段であって，前記貫通孔の背面側に開口部を備え，多くとも前記貫通孔の前面側の半周を囲うように設けられた半円状の受止手段と，前記一方の端面における前記Ｕ字状溝の底部の前面側に備えられた手段であって，前記所定寸法と同じ寸法だけ離れた所に位置決め手段と，を備えてなり，
前記アンテナ取付具は，背面側に前記アンテナ装置の取付対象である支持物に対する取付手段を備えた矩形状の基体と，当該基体の前記取付手段とは反対側に突出させることによって，前記支持体の端面を挟み込むように対向配置された一対の板体であって，前記端面を挟んだときに前記貫通孔と対向する位置に雌ネジ部を設けた，前記支持部を螺着手段で持って回動可能に支持するように形成された突出片と，を備えてなり，
前記一対の突出片における他方の突出片は，前記基体と連設された先端に向かって次第に幅が狭くなるテーパ状の折返片の先端部に延設するように形成された，前記受止手段に当接するための平面体であって，前記受止手段より周径が僅かに小さい曲率を有するように湾曲した形状で，しかも，その略中央部に前記雌ネジ部を設けた他方の当接部を備えており，
また，前記一対の突出片における一方の突出片は，前記基体と連設された先端に向かって次第に幅が狭くなるテーパ状の折返片の先端部に形成された，前記一方の端面に当接するための平面体であって，その先端部は，前記他方の突出片の前記当接部の周径と略等しい曲率を有するように湾曲した形状で，しかも，その略中央部に前記雌ねじ部を設けた一方の当接部を備えており，
更に，前記螺着手段は，前記一対の突設片の間隔より長い寸法に形成され，その先端部の，前記支持部に形成された前記Ｕ字状溝の所定長より僅かに短い長さとなる範囲だけに前記雌ネジ部に対応する第１雄ネジ部が設けられ，しかも，ボルト頭から第１雄ネジ部まで続く首下の径が，前記雌ネジ部の径より僅かに細径となるように形成された半ネジタイプのボルトからなり，
前記支持部と前記アンテナ取付具との組付けは，前記螺着手段の前記第１雄ネジ部を，前記一方の突設片の当接部に設けられた前記雌ネジ部側から螺合した状態で，前記螺合手段を前記一方の突出片の外方向に突出させたまま，前記支持部の背面側から前方に向かって，前記他方の突出片の当接部は，前記支持部の他方の端面に形成された前記受止手段に嵌まり込むように，前記受止手段の開口部から摺動させながら挿着すると共に，前記螺着手段の前記第１雄ネジ部を，前記支持部の前記Ｕ字状溝の開口部から底部に挿入しつつ，前記一方の突出片の当接部は，前記支持部の一方の端面に形成された前記位置決め手段に当接するまで摺動させながら装着することによって，前記他方の突出片の当接部に設けられた雌ネジ部の軸心と，前記支持部の前記貫通孔の軸心と，前記一方の突出片の当接部に設けられた雌ネジ部の軸心を略一致させ，更に，前記螺着手段の第１雄ネジ部を，前記他方の突出片の当接部に設けられた前記雌ネジ部に螺合することによって，前記支持部が前記アンテナ取付具に回動可能に取付けられ，また，前記螺着手段が緊締されたときは前記支持部が前記アンテナ取付具に回動不能に取付けられるように構成される。
【００１１】
請求項３の発明は，請求項１または請求項２に記載のアンテナ取付装置において，前記螺着手段は，前記第１雄ネジ部に加え，前記ボルト頭から前記第１雄ネジ部まで続く首下の中間部位に，前記一方の突設片に設けられた前記雌ネジ部との間で数回転螺合するようなネジ山数に形成された第２雄ネジ部を備えてなり，
前記支持部と前記アンテナ取付具との組付けにおいて，前記螺着手段の前記第１雄ネジ部が，前記一方の突設片に設けられた前記雌ネジ部に螺合した状態から，引き続き前記第２雄ネジ部が前記雌ネジ部に螺合するか，若しくは，更に進めて前記第２雄ネジ部と前記ボルト頭の間における首下が，前記一方の突設片に設けられた前記雌ネジ部に遊挿自在となるまで挿通したときに，前記第２雄ネジ部から前記第１雄ネジ部にかけて続くボルトの大半が，前記支持部に形成された前記貫通孔内に位置するように構成した。
【００１２】
請求項４の発明は，請求項３に記載のアンテナ取付装置において，前記他方の突出片は，当該突出片に設けられた前記雌ネジ部に引き続き，前記一方の突出片側に向かう方向に順次同心的に列設するように設けられ，その内径が前記他方の突出片に設けられた前記雌ネジ部における内径より僅かに大きい寸法となるように形成された抱持部を備えており，
前記支持部と前記アンテナ取付具との組付けにおいて，前記螺着手段の前記第１雄ネジ部が，前記一方の突設片に設けられた前記雌ネジ部に螺合した状態から，引き続き前記第２雄ネジ部が前記雌ネジ部に螺合するか，若しくは，更に進めて前記第２雄ネジ部と前記ボルト頭の間における首下が，前記一方の突設片に設けられた前記雌ネジ部に遊挿自在となるまで挿通したときに，前記第１雄ネジ部の先端部が，前記他方の突出片に形成された前記抱持部内に位置するように構成した。
【００１３】
請求項５の発明は，請求項１から請求項４の何れか一項に記載のアンテナ取付装置において，前記支持部の支持体は，上下に略平行な一対の端面を備えており，
前記アンテナ取付具の突出片は，前記支持体の端面を挟み込むように前記基体の上下に対向するように備えられており，
前記螺合手段は，前記第１雄ネジ部を前記一方の突設片に設けられた前記雌ネジ部に螺合した状態から更に進めて，前記第１雄ネジ部に続く首下を前記一方の突設片に設けられた前記雌ネジ部に遊挿自在に挿通されており，
前記支持部と前記アンテナ取付具との組付けは，前記螺合手段を前記一方の突出片から垂下させた状態のまま行うように構成した。
【００１４】
請求項６の発明は，請求項１から請求項５の何れか一項に記載のアンテナ取付装置において，前記アンテナ取付具を構成する前記基体が備えた前記取付手段は，アンテナマストに取り付けるための抱持手段と，当該抱持手段を挟むように備えた壁面に取り付けるための一対の当付手段と，からなり，
しかも前記基体は，当該基体と前記アンテナ装置が正対したときの前記アンテナ装置の第１投影面の内側にその全てが配置される大きさで形成されており，一方，前記アンテナ装置の角度を一方側に最大に傾けた場合における前記アンテナ装置の第２投影面に対しては，前記基体は，前記第２投影面の外郭の何れかより外側に，前記基体の一方の当付手段の一部若しくは全てが突出するように配置される大きさに形成した。
【００１５】
請求項７の発明は，請求項１から請求項６の何れか一項に記載のアンテナ取付装置において，前記螺着手段の前記第１雄ネジ部を，前記一方の突出片に設けられた前記雌ネジ部に螺合した状態，若しくは，前記第１雄ネジ部に続く首下を，前記一方の突出片に設けられた前記雌ネジ部に挿通し，前記螺合手段を前記一方の突出片から垂下させた状態で，前記螺合手段を前記一方の突出片の外方向に突出させたまま，前記支持部と前記アンテナ取付具とを組付けたときに，前記螺着手段は前記アンテナ装置の投影面における外郭より外方向に大きく突出するように構成した。
【発明の効果】
【００１６】
以上より，請求項１若しくは請求項２に記載のアンテナ取付装置によれば，螺合手段としてのボルトが，一方の突出片に設けられた前記雌ネジ部側から螺合され，当該ボルトの殆どを前記一方の突出片の外方向に突出させた状態のアンテナ取付具を，アンテナ装置に設けられた支持部に組み付ける場合において，その組み付けの手順は，アンテナ取付具に設けられた突出片を前記支持部にスライドするような一方向の移動だけ挿着ででき，支持部の一方側にボルトの第１雄ネジ部を挿入するＵ字状溝を設けたことによって，アンテナ取付具の内側に突出したボルトの第１雄ネジ部の存在があっても，挿着の邪魔になることがない。しかも，その挿着を行うだけで，前記他方の突出片に設けられたネジ孔の軸心と，前記支持部に形成された前記貫通孔の軸心と，前記一方の突出片に設けられたネジ孔の軸心が一致するように構成されていることから，一方の突出片に螺合されたボルトを上側の雌ネジ部に容易に螺合でき，延いては支持部とアンテナ取付具の組み付け，つまりはアンテナ取付装置の組み付けが簡単且つ素早く行うことができるのである。
またこのような，アンテナ装置とアンテナ取付具を予め組み付けた実施形態にあっては，アンテナ装置に出荷時において，ボルトがアンテナ取付具内の空間に収納されることで外形を小さくすることができ，その結果，梱包材を必要以上に大きくする必要がなくなるので，梱包費のコストダウン，延いては輸送費のコストダウンが実現できる。
更に，アンテナ装置の設置作業において，設置現場でボルトの組付け作業を行う必要がなくなり，設置作業の更なる効率化が図れる。
一方，アンテナ装置の形状が大きかったり，重かったり，また，アンテナ装置を保持しながらの作業が困難な場所への設置作業において，設置作業における安全性を確保したい等，アンテナ装置の支持部とアンテナ取付具が組み付けられた状態での設置が困難と考えられる場合は，前記ボルトを前記他方の突出片のネジ孔から開放するだけで，アンテナ取付具は支持部から容易に取り外すことができ，設置の作業効率に殆ど影響を与えることなしに設置に取り掛かることができる。そして，先にアンテナ取付具を取り付け対象物に固着し，その後でアンテナ装置を組み付けることによって，アンテナ装置の設置作業が安全に行うことができるばかりでなく，支持部とアンテナ取付具との組み付けにおいてボルトの存在は邪魔にならないので，作業の容易性は全く損なわれることが無い。
【００１７】
請求項３の発明によれば，アンテナ装置とアンテナ取付具の取り付けにおいて，螺合手段に第２雄ネジ部を設けたことによって，少なくとも，螺合手段に備えた第２雄ネジ部を，前記一方の突設片に設けられた前記雌ネジ部に螺合すれば，前記第２雄ネジ部から前記第１雄ネジ部にかけてのボルトの大半が，前記支持部に形成され前記貫通孔内に位置するように構成したので，その状態でアンテナ装置はアンテナ取付具に対して仮設置ができ，例えば，アンテナ装置に手を添えなくてもアンテナ装置が落下することがなくなり，組付け作業の安全性の向上が図れる。しかも，その第２雄ネジ部の螺合は数回転で済むように構成されていることから，組付け作業の作業性を著しく劣化させることがない。
また，ボルトに備えた第１雄ネジ部が，前記他方の突設片に設けられた雌ネジ部に螺合した状態（即ち，組付け完了の状態）において，例えば，猛烈な風などによってアンテナ装置が振動し，その結果，前記他方の突設片に設けられた雌ネジ部と第１雄ネジ部の締め付けが緩んで，当該雌ネジ部から抜けてしまうような最悪の事態が発生したとしても，前記ボルトの第２雄ネジ部を存在させたことによって，前記第２雄ネジ部から前記第１雄ネジ部にかけてのボルトの大半が，前記支持部に形成され前記貫通孔内に奥深く挿入された状態で維持され，アンテナ装置がアンテナ取付具から脱落することを防止できるといった，アンテナ装置落下防止のフェイル・セイフ機能が働くので，前記第１雄ネジ部が前記一方の突設片の雌ネジ部に当接するまで一気に抜け落ちてしまって，アンテナ装置がアンテナ取付具から落下してしまう恐れを無くすことができる。
【００１８】
更に，請求項４の発明によれば，前記他方の突出片に設けられた前記雌ネジ部に抱持部を設け，における内径より僅かに大きい寸法となるように形成された抱持部を備えてさせ，  前記支持部と前記アンテナ取付具との組付けにおいて，前記螺着手段の前記第１雄ネジ部が，前記一方の突設片に設けられた前記雌ネジ部に螺合した状態から，引き続き前記第２雄ネジ部が前記雌ネジ部に螺合するか，若しくは，更に進めて前記ボルト頭から続く首下が，前記一方の突設片に設けられた前記雌ネジ部に遊挿自在に挿通した状態において，前記第１雄ネジ部の先端部が，前記突出片に形成された前記抱持部内に位置するように構成したことによって，例えば，猛烈な風などによってアンテナ装置が振動し，その結果，前記他方の突設片に設けられた雌ネジ部と第１雄ネジ部の締め付けが緩んで外れてしまうような最悪の事態が発生したとしても，前記第１雄ネジ部の先端部が，前記抱持部に挿入された状態で抱持され，ボルトの軸線が殆どブレることなく維持されることから，更に高信頼なアンテナ取付装置を提供できる。
【００１９】
請求項５の発明によれば，アンテナ装置の形状が大きかったり，重かったり，また，アンテナ装置を手で保持しながらの作業が困難な場所への設置作業において，設置作業における安全性を確保したいなど，アンテナ装置とアンテナ取付具が組み付けられた状態での設置が困難と考えられる場合のように，アンテナ装置とアンテナ取付具を別々に組み付けるような場合においては，まずアンテナ取付具だけを取付対象に取り付けた時点で，前記ボルトが自動的に垂下しその状態を維持するので，その後のアンテナ装置の挿着において，ボルトが邪魔になることがなく，組み付け作業は極めて容易に且つ安全に行うことができる。
【００２０】
請求項６の発明によれば，アンテナマストと壁面への２様の取り付け方法が選択できるように構成したことから，本発明の実施形態におけるアンテナ取付装置を，例えば地上デジタル放送波を受信するアンテナ装置に適応した場合のように，アンテナ装置の設置場所が電波到来方向だけでなく電波状態を考慮して決める必要があっても，１つの取付装置でもって多様な設置場所にきめ細かく対応できる。
しかも，壁面への取り付けにおいては，アンテナ装置１の角度を一方側に最大に傾ければ，少なくとも，前記基体の当付手段と，当該当付手段に形成された貫通孔の一部が，アンテナ装置の前方側から見通すことができるので，前記貫通孔に対する，例えば木ネジ等の固着手段による固着が，アンテナ装置を取り外すことなく行うことができると言った利便性を有している。
【００２１】
請求項７の発明によれば，アンテナ装置の形状が大きかったり，重かったり，また，アンテナ装置を保持しながらの作業が困難な場所への設置作業において，当該設置作業における安全性を確保したい場合のように，アンテナ装置の支持部とアンテナ取付具が組み付けられた状態での設置が困難と考えられる状況において，アンテナ装置とアンテナ取付具を分離し，先ず，アンテナ取付具を取り付け対象物に固着してからアンテナ装置を組み付ける手順において，前記アンテナ取付具に前記アンテナ装置の支持部を挿着したときに，前記ボルトがアンテナ装置の下方若しくは側方より大きく突出するように構成していることから，作業者はボルトの存在を容易に確認でき，その後のボルトの螺合作業をより簡単なものにすることができる。更に，角度調整が終わった後のボルトの緊締作業も，前記ボルトのボルト頭がアンテナ装置の下方若しくは側方の近傍に位置するような構成となっているため，前記ボルト頭の視認性が良く，工具等を使っての作業効率を極めてよく，確実にボルトを締め付けることができる。
【図面の簡単な説明】
【００２２】
【図１】本発明の第１実施形態におけるアンテナ取付装置を構成するアンテナ取付具の概略構成を示す分解斜視図である。
【図２】本発明の第１実施形態におけるアンテナ取付装置を構成するアンテナ取付具の側面図であり，（ａ）は図１におけるＸ−Ｘ線から見た第１完成形の断面図，（ｂ）は図１におけるＸ−Ｘ線から見た第１完成形の異なる実施例を示す図，（ｃ）第２完成形の図であり，組立完了時の図である。
【図３】本発明の第１実施形態におけるアンテナ取付装置を構成する支持部の概略構成を示す斜視図である。
【図４】本発明の第１実施形態におけるアンテナ取付装置を構成する支持部とアンテナ取付具を対向配置したときの一部を断面にした側面図であり，支持部は図３におけるＹ−Ｙ線から見た断面図，アンテナ取付具は図１におけるＸ−Ｘ線から見た断面図である。
【図５】本発明の第１実施形態におけるアンテナ取付装置を構成する支持部とアンテナ取付具の装着手順を示すための一部断面図であり，（ａ）は組立の第１段階を示しており，（ｂ）は組立の第２段階を示しており，組立完了時の図である。
【図６】アンテナ装置とアンテナ取付具とが正対したときの，アンテナ装置の投影面とアンテナ取付具の位置関係を模式的に示した図であり，（ａ）は上面図，（ｂ）は正面から見た図である。
【図７】アンテナ装置の方位角を最大に調整したときの，アンテナ装置の投影面とアンテナ取付具の位置関係を模式的に示した図であり，（ａ）は上面図，（ｂ）は正面からみた図である。
【図８】本発明の第１実施形態におけるアンテナ取付装置をアンテナマストに取り付ける手順を示す側面図である。
【図９】本発明の第１実施形態におけるアンテナ取付装置を壁面に取り付ける手順を示す側面図である。
【図１０】本発明の第１実施形態におけるアンテナ取付装置を壁面に取り付けたときの図であり，（ａ），（ｂ）はアンテナ装置を最大角度に調整したときの上面図と側面図，（ｃ），（ｄ）はアンテナ装置を正面に向けたときの上面図と側面図である。
【図１１】本発明の第２実施形態におけるアンテナ装置に備えられた支持部の概略構成を示す斜視図である。
【図１２】本発明の第２実施形態における支持部とアンテナ取付具の装着手順を示すための一部断面図であり，（ａ）は組立の第１段階を示しており，（ｂ）は組立の第１段階の他の実施例である。
【図１３】本発明の第３実施形態におけるアンテナ取付装置を示す図面であり，（ａ）は螺合手段の側面図であり，（ｂ）はアンテナ装置を構成する支持部とアンテナ取付具の装着手順を示すための一部断面図であり，組立の第１段階を説明するための側面図である。
【図１４】本発明の第３実施形態におけるアンテナ取付装置を構成する支持部とアンテナ取付具の装着手順を示すための一部断面図であり，（ａ）は組立途中の第２段階を示しており，（ｂ）は組立完了時の図である。
【図１５】本発明の第４実施形態におけるアンテナ取付装置を構成する図であり，（ａ）は螺合手段を示す側面図，（ｂ）は固定具を側面から見た断面図，（ｃ）組立途中の第２段階を示す断面図である。
【発明を実施するための形態】
【実施例１】
【００２３】
本発明の第１実施形態におけるアンテナ取付装置について，図１から図３を用いて詳しく説明する。尚，以下の説明で方向を示す場合は，特に明記しない限り，アンテナ装置を基準とし，アンテナ装置の前側が向く方向を前方，前面などと呼び，アンテナ装置の後側が向く方向を後方，背面などと呼ぶ。
本発明の第１実施形態におけるアンテナ取付装置は，図３に示されるアンテナ装置１の背面に形成された支持部２０と，図１及び図２に示される前記支持部２０を回動可能に支持するアンテナ取付具３０からなり，当該アンテナ取付具３０は，前記支持部２０において，アンテナ装置１の角度（本発明の実施形態では方位角）を調整可能に支持するように構成されている。
【００２４】
ここで図１及び図２を用いて，本発明の実施形態におけるアンテナ取付具３０について詳しく説明する。図１は本発明の第１実施形態におけるアンテナ取付装置を構成するアンテナ取付具３０の概略構成を示す分解斜視図である。尚，この図において左斜め下が前方であり，右斜め上が背面である。図２は本発明の第１実施形態におけるアンテナ取付具３０の側面図であり，（ａ）は図１におけるＸ−Ｘ線から見た第１完成形の断面図，（ｂ）は図１におけるＸ−Ｘ線から見た第１完成形の異なる実施例を示す図，（ｃ）は第２完成形の図であり，組立完了時の図である。この図において左側が前方であり，右側が後方である。
本発明のアンテナ取付具３０は，金属体からなる板体を打ち抜き成型した，縦方向に長い矩形の基体３２と，当該基体３２の上下端を前方に折返し形成した一対の突出片３７・３８とからなる固定具３１と，前記支持部２０を回転可能に支持する螺着手段３９からなる。
前記固定具３１を構成する基体３２は，その中央部に背面側から前面側に突出するようにＶ字状部３３が形成されている。このＶ字状部３３は，本発明のアンテナ取付装置２の取付け対象の１つであるアンテナマスト５０に当て付けて抱持する手段であり，図１に示される周知の受金具４０と共に前記アンテナマスト５０を挟持することによって，アンテナマスト５０に固着するように構成されている。このため，基体３２の左右の側辺の略中央部には，ネジ孔３４・３４が設けられており，当該ネジ孔３４・３４に前記受金具４０の背面方向から受金具４０に形成された貫通孔４４・４４を介して挿入される固着ボルト５４・５４を緊締することによって，アンテナ取付具３０はアンテナマスト５０に固着される。
【００２５】
更に，前記Ｖ字状部３３の両側には平面状の当付面３５・３５が形成されている。この当付面３５・３５は，本発明のアンテナ取付装置のもう１つの取付け対象である壁面５１（図９及び図１０参照）に当て付けるための当付手段であり，周知の木ネジ５３等を使って壁面５１に当て付けて固着するためのものである。このため，基体３２の左右の側辺には，貫通孔３６・・・が所定数だけ設けられており，当該貫通孔３６・・・を介して，前記アンテナ取付具３０の前面側から木ネジ５３・・・を壁面５１にねじ込むことによって，アンテナ取付具３０は壁面５１に固着される。つまり，本発明の実施形態では前記抱持手段と前記当付手段の２様の手段を備えることによってアンテナマスト５０にも壁面５１にも取付可能に構成されているのである。尚，本発明の実施形態では，前記抱持手段と前記当付手段とで請求項に記載の取付手段を構成している。
【００２６】
次に，前記固定具３１を構成する突出片３７・３８に説明する。先ず図における上側に位置する突出片３８である。この上側の突出片３８は，前記基体３２の上端から前面側に向かって，前記基体３２に直交するように連設された板体であって，先端に向かって次第に幅が狭くなるテーパ状の折返片３８ａと，当該折返片３８ａの先端側から延伸するように形成された連結部３８ｇと，当該連結部３８ｇと一部を重合した略円形状の平面であって，その略中央部には，雌ネジ部３８ｄを備えたネジ孔３８ｃが形成された筒体３８ｆが，圧着等の手段で持って固着された上側の当接部３８ｂと，を備えるように構成されている。また，前記上側の当接部３８の内面側における前記ネジ孔３８ｃの周縁には，図２に良く示されるように鋸歯状部３８ｅを備えてもよい。
【００２７】
次に，図における下側に位置する突出片３７である。この下側の突出片３７は，前記基体３２の下端から前面側に向かって，前記基体３２に直交するように連設された板体であって，先端に向かって次第に幅が狭くなるテーパ状の折返片３７ａと，当該折返片３７ａの先端部に形成された平面であって，その平面の先端部は，前記上側の突出片３８の前記当接部３８ｂの周径と略等しい曲率を有するように湾曲した形状で，しかも，その略中央部には，前記上側の突出片３８のネジ孔３８ｃの軸心と同一線上に軸心を有した，内側に雌ネジ部３７ｄを備えたネジ孔３７ｃが形成された下側の当接部３７ｂと，を備えるように構成されている。また，前記下側の当接部３７の内面側における前記ネジ孔３７ｃの周縁においても，図１に良く示されるように鋸歯状部３７ｅを備えてもよい。
【００２８】
尚，本発明の実施形態では，前記突出片３７・３８が上下方向に対向配置した例を使って説明を行っているので，一対の突出片を下側の突出片３７，上側の突出片３８と記載したが，この下側の突出片３７が請求項に記載の一方の突出片であり，上側の突出片３８が請求項に記載の他方の突出片である。
また，固定具３１の構成は，本発明の第１実施形態に限定されるものではなく，例えば固定具３１を反対向きにしても良い。この場合，突出片３７が上側若しくは他方の突出片であり，突出片３８が下側若しくは一方の突出片となる。
更に，固定具３１の構成は，本発明の第１実施形態のように，方位角の調整に対応する例に限定するものではなく，仰角の調整に対応するよう，突出片を左右方向に対向配置するように固定具３１を配設してもよく，この実施例では，例えば左側の突出片を前記下側（一方）の突出片３７のように構成し，右側の突出片を上側（他方）の突出片３８のように構成（逆でも可）すればよく，突出片の配置方向は実施形態に限定されない。
【００２９】
次に螺着手段３９について説明する，本発明の実施形態における螺着手段３９は，前記一対の突設片３７・３８の配置間隔より長い寸法に形成されたボルトであって，その先端部の所定の範囲だけに前記ネジ孔３７ｃ・３８ｃに形成された前記雌ネジ部３７ｄ・３８ｄに対応する第１雄ネジ部３９ｂが設けられ，しかも，ボルト頭３９ｃから第１雄ネジ部３９ｂまでの首下３９ａの径（図２（ａ）で示されるｄ）が，前記ネジ孔３７ｃの径（図２（ａ）に示されるＤ）より僅かに細径となるように形成された半ネジタイプのボルトである（以下，ボルト３９と記載する。）。
【００３０】
このように構成された前記固定具３１と前記ボルト３９の組み付けは，図２（ａ）に示されるように，前記ボルト３９の首下３９ａがネジ孔３７ｃに挿通され，さらにボルト３９の首舌３９ａがネジ孔３７ｃに対して遊挿自在となるような状態になるように，先ず，ボルト３９の第１雄ネジ部３９ｂを，前記下側の突出片３７における当接部３７ｂに設けられた雌ネジ部３７ｄに螺合することから始める。この様にボルト３９がネジ孔３７ｃに対して遊挿自在となるように前記固定具３１と前記ボルト３９が組み立てられることでアンテナ取付具３０が完成し，この状態がアンテナ取付具３０の第１完成形である。
図２（ａ）に示される前記第１完成形の実施形態では，前記一対の突出片３７・３８が上下に対向配置されていることから，前記ボルト３９は前記下側の突出片３７に対して垂下した状態に組付けられる。従って，前記下側の突出片３７より上側に突出しているボルト３９の長さは，前記第１雄ネジ部３９ｂが形成された前記所定の長さとなり，その寸法は図２（ａ）に示すようにｈである。
図２（ｂ）には，前記第１完成形の別の実施例が示されている。この別の実施例では，ボルト３９は，ボルト３９の第１雄ネジ部３９ｂが前記雌ネジ部３７ｄと螺合した状態で組付けられており，例えば，固定具３１を上下逆さまにした実施例の場合（この場合，突設片３７は上側の突設片となる。）や，前記一対の突出片３７・３８が左右方向に対向配置した場合（この場合，突設片３７は左側若しくは右側の突設片となる。）などの実施例において，前記ボルト３９が突設片３７に組付けられたままになり，アンテナ取付具３０は固定具３１の方向に関わらず前記第１完成形を維持できる。
このように，本発明の第１実施形態におけるアンテナ取付具３０の第１完成形は，ボルト３９が，少なくとも首下３９ａからボルト頭３９ｃにいたる大半の部分を，前記突出片３７の外方向に大きく突出するように，突出片３７に組み付けられることを特徴としている。そして，この第１完成形において，前記突出片３７より上側（内側）に突出しているボルト３９の長さは，前記第１雄ネジ部３９ｂが形成された所定の寸法ｈが最大で，この寸法ｈを超えることはない。
【００３１】
更に，図２（ｃ）に示されるように，前記第１完成形にあるアンテナ取付具３０のボルト３９を上方に押し上げながら，上側の突出片３８に設けられた筒体３７ｆの雌ネジ部３７ｄに螺合させれば，この時の状態がアンテナ取付具３０の第２完成形であり，アンテナ取付具３０の組立完了の姿である。
【００３２】
次に，支持部２０について説明する。図３はアンテナ装置１に備えられた支持部２０の第１実施形態の概略構成を示す斜視図である。尚，この図において，斜め左下がアンテナ装置１の背面側であり，右斜め上がアンテナ装置１の前面側である。
本発明の第１実施形態における支持部２０は，アンテナ装置１の背面１ａの下方部位にあって，アンテナ装置１の下側端から上方に向かうように形成された縦長の形状で，背面１ａから先端に向かって次第に幅が狭くなるテーパ状に突出するように，背面１ａと一体的に形成されている。
【００３３】
更に詳しく支持部２０について説明する。本発明の第１実施形態における支持部２０は，
上下方向に互に略平行に対向配置した平面であって，アンテナ装置１の垂直方向に直交する面に平行な一対の端面２７・２８を備えた，支持部２０の本体部分としての支持体２１と，この支持体２１の内部に備えられた，前記端面に直交する方向に軸心を有するように形成された貫通孔２９からなる。
前記支持体２１の下方（一方）の端面２７側には，底部２２ｂが前記貫通孔２９の前方側内面と同心的に連通するように形成された溝であって，前記支持体２１の下方の端面２７から上方の端面２８側に向かって所定の長さＨだけ，前記支持体２１の背面側に開口部２２ａを有するように形成したＵ字状溝２２が設けられている。このＵ字状溝２２の所定長Ｈは，前記ボルト３９に形成された第１雄ネジ部３９ｂの長さｈより僅かに長く形成すればよい。
更に，前記支持体２１の下方の端面２７には，前記Ｕ字状溝２２の底部２２ｂの開口端の前面側に備えられた手段であって，前記Ｕ字状溝２２の底部２２ｂの軸心（即ち，前記貫通孔２９の軸心）から所定寸法，つまり前記下側の突出片３７における当接部３７ｂの先端部の周径と同じか僅かに大きい寸法だけ離れた所に，前記下方の端面２７から突出するように請求項に記載の位置決め手段２４が形成されている。
【００３４】
一方，前記支持体２１の上方（他方）の端面２８には，前記貫通孔２９の中心から所定寸法の位置に同心的に設けられた周壁からなる手段であって，前記貫通孔２９の開口端２９ａの背面側に開口部２５ａを備え，多くとも前記貫通孔２９の開口端２９ａの前面側の半周を囲うように設けられた半円状の湾曲部２５が形成されている。この湾曲部２５は，前記固定具３１の上側の突出片３８に形成された当接部３８ｂの前方側の略半周分を，前記開口部２５ａを介して受け入れるようにするため，前記所定寸法は，前記上側の当接部３８の周径より僅かに大きくなるように形成すればよい。尚，この湾曲部２５が請求項に記載の受止手段である。
【００３５】
ここでこのように構成されたアンテナ取付具３０と支持部２０との組立手順について図４及び図５を用いて説明する。この図において，図４は本発明の第１実施形態におけるアンテナ取付装置２を構成する支持部２０とアンテナ取付具３０を対向配置したときの一部を断面にした側面図であり，支持部２０は図３におけるＹ−Ｙ線から見た断面図，アンテナ取付具３０は図１におけるＸ−Ｘ線から見た断面図である。同様に，図５は本発明の第１実施形態におけるアンテナ取付装置２を構成する支持部２０とアンテナ取付具３０の装着手順を示すための一部断面図であり，（ａ）は組立の第１段階を示しており，（ｂ）は組立の第２段階を示しており，組立完了時の図である。
先ず，図４に示されるように，アンテナ取付具３０は，固定具３１とボルト３９を組付けて前記第１完成形にしておくことによって，ボルト３９は，自動的に固定具３１の下側の突設片３７の下方に垂下した状態になる。この状態でアンテナ取付具３０の前面側と支持部２０を対向配置させる。そして支持部２０を図の矢印Ａ方向に（または，アンテナ取付具３０を支持部２０に向かって）移動させ，アンテナ取付具３０に挿着する。
【００３６】
次に，図５（ａ）に示されるように，前記上側の突出片３８の当接部３８ｂが，前記支持部２０の上側の端面２８に形成された前記湾曲部２５に嵌まり込むように，前記湾曲部２５の開口部２５ａに向かって前記端面２８を摺動させながら，前記当接部３８ｂの周縁が湾曲部２５の周壁に当接するまで挿着する。
同時に，前記ボルト３９における前記第１雄ネジ部３９ｂを，前記支持部２０に設けられた前記Ｕ字状溝２２の開口部２２ａから底部２２ｂに向かって挿入しつつ，前記下側の突出片３７の当接部３７ｂの先端部が，前記支持部２０の下側の端面２７に形成された前記位置決め手段２４に当接するまで前記端面２７を摺動させながら装着する。この時，Ｕ字状溝２２の長さＨは，ボルト３９の第１雄ネジ部３９ｂの長さｈより長いので，ボルト３９の存在があっても，第１雄ネジ部３９ｂのＵ字状溝２２に対する挿入に特別の困難さは生じない。
このように支持部２０とアンテナ取付具３０が組付けられたなら，前記上方の突出片３８に設けられたネジ孔３８ｃの軸心と，前記支持部２０に形成された前記貫通孔２９の軸心と，前記下側の突出片３７に設けられたネジ孔３７ｃの軸心は略一致する。そして，軸心が一致したなら，ボルト３９を矢印Ｂ方向に持ち上げながら，前記ネジ孔３８ｃの雌ネジ部３８ｄに螺合する。
そして，図５（ｂ）に示されるように，前記ボルト３９を前記上方の突出片３８に設けられた前記雌ネジ部３８ｄに螺合することによって，前記支持部２０が前記アンテナ取付具３０に回動可能に取付けられる。更に，前記ボルト３９が緊締されたときは，前記支持部２０が前記アンテナ取付具３０に回動不能に取付けられるのである。
【００３７】
次に，本発明の第１実施形態における角度調整範囲について図６（ａ）及び図７（ａ）を用いて説明する。この図において図の手前側が上方である。図６（ａ）は支持部２０に形成された湾曲部２５と，アンテナ取付具３０の上側の突設片３８に形成された当接部３８ｂの嵌合状態を説明するための図である。既に詳述したように，前記上側の当接部３８ｂは，前記湾曲部２６の開口部２５ａから，支持部２０の上側の端面２８を摺動するようにして，前記湾曲部２５に嵌まり込むまで挿着されており，しかも，ボルト３９を回転軸として回転可能に支持されていることから，ボルト３９を締め付けたり緩めたりすることで角度の調整ができるように構成されている。
図７（ａ）はアンテナ装置１を一方側に最大に傾けたときの状態を示す上面図である。この図から良く分かるように，アンテナ装置１を傾けると，湾曲部２５の開口端２５ｂと，上側の突設片３８に形成された前記折返片３８ａと前記当接部３８ｂの連結部３８ｇが当接するので，この当接した状態がアンテナ装置１の一方側の最大角度調整範囲となる。そして，その範囲は，例えばアンテナ装置の背面１ａ等が，基体３２がなす仮想平面に当接しないように決めればよい。
【００３８】
ここで前記アンテナ取付装置２を備えたアンテナ装置１の特徴について図６及び図７を用いて説明する。この図において，図６はアンテナ装置１とアンテナ取付具３０とが正対したとき（つまり，アンテナ装置１が真っ直ぐ前方を向いた場合）の，アンテナ装置１の投影面と前記第１完成形にあるアンテナ取付具３０の位置関係を模式的に示した図であり，（ａ）は上面図，（ｂ）は正面から見た図である。また，図７はアンテナ装置１の方位角（図ではアンテナ装置１から見て右方向）を最大に調整したときの，アンテナ装置１の投影面と前記第２完成形にあるアンテナ取付具３０の位置関係を模式的に示した図であり，（ａ）は上面図，（ｂ）は正面から見た図である。
この図６に示されるように，前記アンテナ取付具３０を構成する前記基体３２は，前記アンテナ装置１と前記アンテナ取付具３０が正対したときに，前記アンテナ装置１がなす第１投影面Ｓ１の内側にその全てが配置される大きさとなるように形成されていることがわかる。
また，図６（ｂ）に良く示されるように，アンテナ装置１に備えた前記支持部２０は，当該支持部２０と，前記第１完成形にあるアンテナ取付具３０を組み付けたときに，前記アンテナ取付具３０から垂下した状態のボルト３９が，前記アンテナ装置１の第１投影面Ｓ１の下側辺より下方に大きく突出するように，前記アンテナ装置１の下方部位に配設されていることが分かる。
【００３９】
更に，図７に示されるように，前記アンテナ取付具３０を構成する前記基体３２は，前記アンテナ装置１の方位角を一方側に最大に傾けた場合における前記アンテナ装置１の第２投影面Ｓ２に対して，当該第２投影面Ｓ２の外郭の何れか（本発明の実施例では第２投影面Ｓ２の正面から見て右側）より外側に，少なくとも前記基体３２の当付面３５の一部若しくは全てが突出するように配置される大きさに形成されていることが分かる。つまり，この実施形態では，アンテナ装置１の前方から，少なくとも，基体３２の一方の当付面３５と，当該一方の当付面３５に形成された貫通孔３６が見通せるように構成されていることが分かる。
また，図７（ｂ）に良く示されるように，本発明の実施形態では，支持部２０が前記アンテナ装置１の下方部位に配設されていることから，前記支持部２０と，ボルト３９が上側の突出片３８のネジ孔３８ｃに螺合した前記第２完成形にあるアンテナ取付具３０の組み合わせにおいて，当該ボルト３９のボルト頭３９ｃが，前記アンテナ装置１の投影面Ｓ２の下側辺の近傍に位置するように構成されていることが分かる。この位置関係は，前記アンテナ装置１と前記アンテナ取付具３０が正対したときも同様である。
【００４０】
このように構成されたアンテナ取付装置２の具体的な使用方法について説明する。既に詳述したように，本発明の第１実施形態にかかるアンテナ取付装置２は，アンテナマスト５０と平面５１への２様の取付けが可能に構成されており，ここでは夫々の取付方法について説明する。
先ず，アンテナ取付装置２のアンテナマスト５０への取付手順について図１と図８を用いて説明する。この取付手順には２通りある。一つは，図８（ａ）から（ｄ）で示されるように，アンテナ取付具３０をアンテナマスト５０に固着してから，アンテナ装置１とアンテナ取付具３０を組み付ける方法であり，もう一つは，図８（ｄ）で示されるように，アンテナ装置１とアンテナ取付具３０が組み付いた状態でアンテナマスト５０に組み付ける方法である。尚，図８中１ｃで示されるのは，アンテナ装置の出力端子である。
【００４１】
以下にアンテナ装置１とアンテナ取付具３０を別々に組み付ける手順について説明する。この手順は，アンテナ装置１の形状が大きかったり，重かったり，また，アンテナ装置１を保持しながらの作業が困難な場所への設置作業において，当該設置作業における安全性を確保したいなど，アンテナ装置１の支持部２０とアンテナ取付具３０が組み付けられた状態（アンテナ取付装置２が組み付いた状態）での設置が困難と考えられる場合に用いられる手順である。
先ず，図８（ａ）で示されるように，アンテナマスト５０の一方の側からアンテナ取付具３０の抱持手段であるＶ字状部３３を当て付け，アンテナマスト５０の他方の側からは受金具４０を当て付け，固着ボルト５４・５４でもって受金具４０の背面側から螺着し，Ｖ字状部３３と受金具４０とで前記アンテナマスト５０を挟持することによって，アンテナ取付具３０はアンテナマスト５０に固着される。この場合のアンテナ取付具３０はボルト３９が垂下した前記第１完成形である。
【００４２】
次に，図８（ｂ）で示されるように，アンテナ装置１の支持部２０をアンテナ取付具３０に対向配置させてから，当該支持部２０を矢印Ｃ方向に沿うようにアンテナ取付具３０に挿着する。こうしてアンテナ装置１の支持部２０とアンテナ取付具３０の挿着が完了したなら図８（ｃ）に示されるように，アンテナ装置１の下方から大きく垂下したボルト３９を矢印Ｄ方向に向かって押し上げつつ，当該ボルト３９を上側の突出辺３８に設けられたネジ孔３８ｃに螺合する。この作業では，ボルト３９が垂下し，アンテナ装置１の下方から大きく突出していることから，設置者は容易にボルト３９の存在を確認でき，しかも，容易に手が届くので，螺合作業を効率よく行うことができる。
こうして螺合が完了したなら図８（ｄ）の如くアンテナ装置１は回転可能に組付けられる。次に，アンテナ装置１の方位角調整を行い，ボルト３９を緊締することで設置工事が完了するのであるが，この時，ボルト３９のボルト頭３９ｃがアンテナ装置１の下方近傍に位置するように構成されているため，作業空間が広く取れ，工具を使ってのボルト３９の緊締作業に特別な困難性を感じることなく，角度調整が容易，且つ，確実に行うことができる。
尚，アンテナ装置１とアンテナ取付具３０が予め組み付けられた状態のものをアンテナマスト５０に組み付ける手順は，図８（ｄ）で示されるようにアンテナマスト５０にアンテナ装置１が組み付いたアンテナ取付装置２を当て付けておいて，受金具４０と固着ボルト５４で持ってアンテナマスト５０を挟持すればよく詳細な説明は省略する。
【００４３】
次に，アンテナ取付装置２の壁面５１への取付手順について図９と図１０を用いて説明する。この取付手順にも上記アンテナマストの取付方法と同様に２通りある。一つは，図９（ａ）から（ｄ）で示されるように，アンテナ取付具３０を壁面５１に固着してから，アンテナ装置１とアンテナ取付具３０を組み付ける方法であり，もう一つは，図１０（ａ）から（ｂ）で示されるように，アンテナ装置１とアンテナ取付具３０が組み付いた状態で壁面５１に組み付ける方法である。
以下に，アンテナ装置１とアンテナ取付具３０を別々に組み付ける手順について説明する。この手順も，前記アンテナマスト５０への取り付けと同様に，アンテナ装置１の形状が大きかったり，重かったり，また，アンテナ装置１を保持しながらの作業が困難な場所への設置作業において，当該設置作業における安全性を確保したいなど，アンテナ装置１の支持部２０とアンテナ取付具３０が組み付けられた状態（アンテナ取付装置２が組み付いた状態）での設置が困難と考えられる場合に用いられる手順である。
先ず，図９（ａ）で示されるように，壁面５１に対してアンテナ取付具３０の当接手段である当付面３５を当て付け，アンテナ取付具３０の前方側から，例えば木ネジ５３・５３を壁面に螺着することによって，アンテナ取付具３０は壁面５１に固着される。この場合のアンテナ取付具３０もボルト３９が垂下した前記第１完成形である。
次に図９（ｂ）で示されるようにアンテナ装置１の支持部２０をアンテナ取付具３０に対向配置させてから，アンテナ装置１の支持部２０を矢印Ｅ方向に沿うようにアンテナ取付具３０に挿着する。こうしてアンテナ装置１の支持部２０とアンテナ取付具３０の挿着が完了したなら，図９（ｃ）に示されるように，アンテナ装置１の下方から大きく垂下したボルト３９を矢印Ｆ方向に向かって押し上げつつ，前記ボルト３９を上側の突出辺３８に設けられたネジ孔３８ｃに螺合することによって，図９（ｄ）の如く組付けが完了する。
【００４４】
次に，アンテナ装置１とアンテナ取付具３０が予め組み付けられた状態のものを壁面５１に組み付ける手順について図１０を用いて説明する。
この手順では，先ず，図１０（ａ）のように，アンテナ装置１の方位角をどちらか一方に傾ける。すると，上述したように，アンテナ装置１の方位角を最大に傾けたときの第２投影面Ｓ２のアンテナ装置１に向かって右側より外側に，前記基体３２の前記一方の当付面３５と，当該一方の当付面３５に形成された貫通孔３６が見通すことができるので，前記貫通孔３６に対して，木ネジ５３等でアンテナ取付具３０と壁面５１を螺着すればよい。そして一方の当付面３５の固定が済んだなら，アンテナ装置１の方位角を反対方向に傾け，他方の当付面３５に対しても同様な方法で固着すればよい。
また，本発明の実施形態は，アンテナ装置１と壁面５１との間に形成される狭い空間を避けるために，ボルト３９のボルト頭３９ｃがアンテナ装置１の下方近傍に位置するように構成し，広い作業空間が取れるようにしたので，ボルト３９の工具を使っての緊締作業に特別な困難性を感じることなく，角度調整が容易，且つ，確実に行うことができる。
【００４５】
以上，本発明の実施形態にかかるアンテナ取付装置２によれば，ボルト３９が固定具３１に対して遊挿自在に挿着された前記第１完成形にあるアンテナ取付具３０を，アンテナ装置１に設けられた支持部２０に組み付ける場合において，その組み付けの手順は，ボルト３９が組み付けられた状態であっても，アンテナ取付具３０を支持部２０にスライドするような一方向の移動による挿着だけででき，支持部２０の一方側にボルト３９の第１雄ネジ部３９ｂを挿入するＵ字状溝２２を設けたことによって，アンテナ取付具３０の内側にボルト３９の第１雄ネジ部３９ｂが突出していても，挿着の邪魔になることがない。しかも，その挿着を行うだけで，前記上方の突出片３８の当接部３８ｂに設けられたネジ孔３８ｃの軸心と，前記支持部２０に形成された前記貫通孔２９の軸心と，前記下側の突出片３７の当接部３７ｂに設けられたネジ孔３７ｃの軸心が一致するように構成されていることから，下側の突出片３７に設けたネジ孔３７ｃに螺合されたボルト３９を，上側の突出片３８に設けられた雌ネジ部３８ｄに螺合した状態である前記第２完成形に容易にでき，延いては支持部２０とアンテナ取付具３０の組み付け，つまりはアンテナ取付装置２の組み付けが簡単且つ素早く行うことができるのである。
【００４６】
またこのような，アンテナ装置１と前記第２完成形にあるアンテナ取付具３０を予め組み付けた実施形態にあっては，アンテナ装置１の出荷時において，ボルト３９がアンテナ取付具３０内の空間に収納されることで外形が小さくなり，その結果，梱包材を必要以上に大きくする必要がなくなるので，梱包費のコストダウン，延いては輸送費のコストダウンが実現できる。
【００４７】
更に，アンテナ装置１の設置作業において，設置現場でボルトの組付け作業を行う必要がなくなり，設置作業の更なる効率化が図れる。
また，本発明の実施形態におけるアンテナ取付装置２は，アンテナマスト５０と壁面５１への２様の取り付け方法が選択できるように構成したことから，本発明の実施形態におけるアンテナ取付装置２を，例えば地上デジタル放送波を受信するアンテナ装置１に適応した場合のように，アンテナ装置１の設置場所が電波到来方向だけでなく電波状態を考慮して決める必要があっても，１つの取付装置２でもって多様な設置場所にきめ細かく対応できる。
しかも，壁面５１への取り付けにおいては，アンテナ装置１の方位角を一方側に最大に傾ければ，前記基体３２の他方の当付面（当付手段）３５と，当該他方の当付面３５に形成された貫通孔３６が，アンテナ装置１の前方側から見通すことができるので，前記貫通孔３６に対する木ネジ５３の螺着が，アンテナ装置１とアンテナ取付具３０を取り外すことなく行うことができると言った利便性を有している。
【００４８】
一方，アンテナ装置１の形状が大きかったり，重かったり，また，アンテナ装置１を保持しながらの作業が困難な場所への設置作業において，設置作業における安全性を確保したいなど，アンテナ装置１の支持部２０と前記第２完成形にあるアンテナ取付具３０が組み付けられた状態での設置が困難と考えられる場合は，前記ボルト３９を前記上方の突出片３８のネジ孔３８ｃから開放するだけで，アンテナ取付具３０は支持部３０から容易に取り外して第１完成形に戻すことができる。そして，先にアンテナ取付具３０を取り付け対象物に固着してから，次にアンテナ装置１を組み付けても，アンテナ取付具３０におけるボルト３９の存在は，支持部２０に形成したＵ字状溝２２によって邪魔にならないので，組み付けの容易性は損なわれることが無い。
しかも，アンテナ取付具３０だけを先にアンテナマスト５０若しくは壁面５１に取り付けた時点で，前記ボルト３９が自動的に垂下し前記第１完成形を維持するので，その後のアンテナ装置１の支持部２０の挿着において，ボルト３９が邪魔になることがないので，挿着における困難性は生じない。
更に加えて，前記第１完成形にあるアンテナ取付具３０に前記アンテナ装置１の支持部２０を挿着したときに，前記ボルト３９がアンテナ装置の下方より大きく突出するように構成したことから，アンテナ装置１の背面にボルトが存在したものより，作業者はボルト３９の存在を容易に視認でき，しかも，容易に手が届くので，その後のボルト３９の螺合作業をより簡単なものにすることができる。また，角度調整が終わった後のボルト３９の緊締作業も，前記ボルト３９のボルト頭３９ｃがアンテナ装置１の下側辺の近傍に位置するような構成としているため，前記ボルト頭３９ｃの視認性が良く，しかも，当該ボルト頭３９ｃの周辺における作業空間が広く取れるので，工具等を使っての緊締作業を極めて簡単且つ確実に行うことができる。
【実施例２】
【００４９】
次に，本発明の第２実施形態について図１１及び図１２を基に説明する。図１１は支持部２０の斜視図である。この第２実施形態の支持部２０と前記第１実施形態の支持部２０の違いは，前記湾曲部２５と前記位置決め手段２４の存在の有無である。図１１に良く示されるように，第２実施形態では，湾曲部２５は無く，当該湾曲部２５に変わって，アンテナ装置１の背面１ａを利用するものである。即ち，図１２に示されるように，上側の突出片３８は，その先端が前記背面１ａに当接するまで端面２８に摺動させるように装着すればよい。
一方，下側においても位置決め手段２４が形成されておらず，この位置決め手段２４に変わって，Ｕ字状溝２２の底部２２ｂを利用するものである。即ち，図１２に示されるように，下側の突出片３７は，ボルト３９の第１雄ネジ部３９ｂが前記Ｕ字状溝２２の底部２２ｂに当接するまで，端面２７（即ち，アンテナ装置１の底面１ｂ）に摺動させるように装着すればよい。この結果，前記上方の突出片３８に設けられたネジ孔３８ｃの軸心と，前記支持部２０に形成された前記貫通孔２９の軸心に対して，前記下側の突出片３７に設けられたネジ孔３７ｃの軸心が僅かにずれるものの，ボルト３９をネジ孔３８ｃに螺合作業に格別な困難を生じない。
【実施例３】
【００５０】
次に，本発明の第３実施形態について図１３及び図１４を基に説明する。図１３において（ａ）は螺合手段の側面図である。（ｂ）はアンテナ装置１を構成する支持部２０とアンテナ取付具３０の装着手順を示すための一部断面図であり，組立の第１段階を説明するための側面図である。また図１４は本発明の第３実施形態におけるアンテナ取付装置を構成する支持部とアンテナ取付具の装着手順を示すための一部断面図であり，（ａ）は組立途中の第２段階を示しており，（ｂ）は組立完了時の図である。
この第３実施形態と上記実施形態の違いは，螺合手段としてのボルト３９の構成である。この第３実施形態におけるボルト３９の長さは，前記一対の突設片３７・３８の配置間隔（図１３（ｂ）で示されるＷ１）より長い寸法に形成されており，その先端部の所定の範囲ｈだけに前記ネジ孔３７ｃ・３８ｃに形成された前記雌ネジ部３７ｄ・３８ｄに対応する第１雄ネジ部３９ｂが設けられ，しかも，ボルト頭３９ｃから第１雄ネジ部３９ｂまでの首下３９ａの径ｄが，前記ネジ孔３７ｃの径Ｄより僅かに細径となるように形成された半ネジタイプであることは，上記実施形態と同じであるが，この第３実施形態では更に加えて，ボルト頭３９ｃと前記第１雄ネジ部３９ｂとの間の中間部位に，前記一方の突設片３７に設けられた前記雌ネジ部３７ｄとの間で数回転螺合するようなネジ山数に形成された第２雄ネジ部３９ｄを備えていることを特長としている。
この第２雄ネジ部３９ｄの形成位置は，当該雄ネジ部３９ｄのボルト頭３９ｃ側の開始位置からボルト３９の先端までの寸法（図１３（ａ）で示されるＬ１）が，前記一対の突設片３７・３８の配置間隔Ｗ１より僅かに短い寸法で形成しておけばよい。
【００５１】
このように構成されたボルト３９は，上記実施形態と同様に，先ず，第１雄ネジ部３９ｂに続く首下（以下，第１首下３９ａ−１と記載する。）が前記一方の突出片３７に設けられたネジ孔３７ｃに挿通するように固定具３１に取り付けられることによって，アンテナ取付具３０は第１完成形をなす。そして，この第１完成形のアンテナ取付具３０は，図１３（ｂ）に示されるようにアンテナ装置１の支持部２０に組み付けられる。このように組み付けられた状態において，ボルト３９に形成された第２雄ネジ部３９ｄがネジ孔３７ｃに当接するまでボルト３９を図１３（ｂ）の矢印Ｇ方向に持ち上げる。
次に，第２雄ネジ部３９ｄがネジ孔３７ｃに当接したなら，図１４（ａ）に良く示されているように，ボルト３９を矢印のように回転させながら，第２雄ネジ部３９ｄを雌ネジ部３７ｄに螺合し，前記第２雄ネジ部３９ｄとボルト頭３９ｃとの間の首下（以下，第２首下３９ａ−２と記載する。）がネジ孔３７ｃに挿通自在（第２雄ネジ部３９ｄが螺合したままの状態でも良い。）となれば，ボルト３９は第２雄ネジ部３９ｄにおいて一方の突出片３７に支持されて垂下する。この状態でボルト頭３９ｃ側の雄ネジ部３９ｄの開始位置からボルト３９の先端までの寸法（図１４（ａ）におけるＬ１）は，前記一対の突設片３７・３８の配置間隔（図１４（ａ）におけるＷ１）より僅かに短い寸法で形成されていることから，ボルト３９の先端部は貫通孔３９に深く挿入されるものの，第１雄ネジ部３９ｂが，他方の突設片３８に設けられたネジ孔３８ｃには螺合していない状態で挿着されている。このように，第２雄ネジ部の形成位置は，図１４（ａ）に示すようにボルト３９が貫通孔の奥深く挿入されるように構成するのが望ましいが，少なくともボルト３９の大半が前記貫通孔２９に挿入されているように構成されておればよい。
次にこのように挿着された状態から，図１４（ａ）に示される矢印Ｆ方向にボルト３９を持ち上げながら，図１４（ｂ）に示されるようにボルト３９を他方の突出片３８に設けられたネジ孔３８ｃに螺合することによって組み付けが完了するのである。
【００５２】
以上，本発明の第３実施形態によれば，螺合手段であるボルト３９の所定位置に第２雄ネジ部３９ｄを設けたことによって，少なくとも，前記第２雄ネジ部３９ｄを，前記一方の突設片３７の当接部３７ｂに設けられた前記雌ネジ部３７ｄ（ネジ孔３７ｃ）に螺合すれば，前記第２雄ネジ部３９ｄから前記第１雄ネジ部３９ｂにかけてのボルト３９の大半が，前記支持部２０に形成され前記貫通孔２９内に位置するので，アンテナ装置１はアンテナ取付具３０に対して仮設置ができ，例えば，アンテナ装置１に手を添えなくてもアンテナ装置１が落下することがなくなり，組付け作業の安全性の向上が図れる。しかも，その第２雄ネジ部３９ｄの螺合は数回転で済むように構成されていることから，組付け作業の作業性を著しく劣化させることがない。
また，ボルト３９に備えた第１雄ネジ部３９ｂが，前記他方の突設片３８に設けられた雌ネジ部３８ｄ（ネジ孔３８ｃ）に螺合した状態（即ち，組付け完了の状態）において，例えば，猛烈な風などによってアンテナ装置１が振動し，その結果，前記他方の突設片３８に設けられた雌ネジ部３８ｄ（ネジ孔３８ｃ）と第１雄ネジ部３９ｂの締め付けが緩んでしまうような最悪の事態が発生したとしても，前記ボルト３９の第２雄ネジ部３９ｄを存在させたことによって，前記第２雄ネジ部３９ｄから前記第１雄ネジ部３９ｂにかけてのボルト３９の大半が，前記支持部２０に形成され前記貫通孔２９内に奥深く挿入された状態で維持され，アンテナ装置１がアンテナ取付具３０から脱落することを防止できるといった，アンテナ装置落下防止のフェイル・セイフ機能が働くので，上記実施形態１及び実施形態２のように，前記第１雄ネジ部３９ｂが前記一方の突設片３７の雌ネジ部３７ｄ（ネジ孔３７ｃ）に当接するまで一気に抜け落ちてしまって，アンテナ装置１がアンテナ取付具３０から落下する恐れを無くすことができる。
【実施例４】
【００５３】
次に，本発明の第４実施形態について図１５を基に説明する。図１５において（ａ）は螺合手段３９の側面図，（ｂ）は固定具３１を側面から見た断面図，（ｃ）組立途中の第２段階を示す断面図である。
この第４実施形態と上記第３実施形態の違いは，アンテナ取付具３０における他方の突出片３８の構成と，螺合手段としてのボルト３９の長さである。
本発明の第４実施形態における他方の突出片３８は，図１５（ｂ）に良く示されているように，当該突出片３８に設けられた，内部に雌ネジ部３８ｄが形成されたネジ孔３８ｃに加え，当該ネジ孔３８ｃに引き続いて，前記一方の突出片３７側に向かって順次同心的に列設するように設けられ，その内径が前記ネジ孔３８ｃにおける内径より僅かに大きい寸法となるように形成された抱持部３８ｈを備えるように構成されている。具体的には，この実施形態における他方の突出片３８に備えられた前記筒体３８ｆは，図１５における上側に形成されたネジ孔３８ｃに引き続き，段差３８ｋを介して下側に抱持部３８ｈを備えるように構成されており，前記他方の突出片３８に圧着等の手段で持って固着されている。
【００５４】
一方，本発明の第４実施形態におけるボルト３９は，前記第３実施形態のボルトと同じように第１雄ネジ部３９ｂに加え第２雄ネジ部３９ｄを備えている構成は同じであるが，その形成寸法が第３実施形態とは異なる。この第４実施形態におけるボルト３９は，ボルト頭３９ｃ側の雄ネジ部３９ｄの開始位置からボルト３９の先端までの寸法（図１５（ａ）におけるＬ２）が，前記一対の突設片３７・３８の配置間隔（図１５（ｂ）におけるＷ１）より長く，一方の突出片３７と前記筒体３８ｆの段差３８ｋとの間隔（図１５（ｂ）におけるＷ２）より短い寸法で形成されている。
【００５５】
このように構成された固定具３１にボルト３９を取り付ける方法は，上記第３実施形態と同じであるが，この第４実施形態では，ボルト３９の第２雄ネジ部３８ｄから先端にかけての長さＬ２をＷ１（突設片３７・３８の配置間隔）＜Ｌ２＜Ｗ２（突設片３７と抱持部３８ｈの底部との間隔）としたことによって，前記第２雄ネジ部３９ｄを一方の突出片３７に設けた雌ネジ部３７ｄに螺合した状態，若しくは，前記第２首下３９ａ―２がネジ孔３７ｃに挿通されボルト３９が垂下した状態において，前記第１雄ネジ部３８ｂの先端部が，前記他方の突出片３８に形成された前記抱持部３８ｈ内に挿入され抱持されるように取り付けられることによって，ボルト３９の軸線が殆どブレることなく固定具３１に維持されるように構成されている。
つまり，本発明の第４実施形態によれば，例えば，猛烈な風などによってアンテナ装置１が振動し，その結果，前記他方の突設片３８に設けられた雌ネジ部３８ｄと第１雄ネジ部３９ｂの締め付けが緩んで，ボルト３９がネジ孔３８ｃより抜けてしまうような最悪の事態が発生したとしても，前記第１雄ネジ部３９ｂの先端部が，前記抱持部３８ｈに挿入された状態で抱持されるので，ボルト３９の軸線が殆どブレることなく固定具３１に維持されることから，上記のような最悪の事態になってもアンテナ装置１がアンテナ取付具３０から落下しない，優れた信頼性を有したアンテナ取付装置２を提供できる。
【００５６】
尚，本発明は，以下に例示するように，本発明の趣旨を逸脱しない範囲で各部の構成を適宜に変更して実施することも可能である。
本発明の実施形態におけるアンテナ取付装置２は，アンテナ装置１の方位角の調整機構に適応させた例を示したが，特にこの実施形態に限定されるものではなく，仰角調整機構に適応させても良い。この場合，前記アンテナ取付具３０における前記一対の突出片を，左右方向に対向配置し，例えば左側（一方）の突出片を前記下側の突出片３７のように構成し，右側（他方）の突出片を上側の突出片３８のように構成（逆でも可）すればよい。この実施形態の具体例は，図１０（ｃ）を側面図，（ｄ）を上面図と読み替えることによって示される。
【符号の説明】
【００５７】
１…アンテナ装置，１ａ…背面，１ｂ…底面，１ｃ…出力端子，２…アンテナ取付装置，２０…支持部，２１…支持体，２２…Ｕ字状溝，２２ａ…開口端，２２ｂ…底部，２４…位置決め手段，２５…湾曲部，２５ａ…開口部，２５ｂ…開口端，２７…（下側，一方の）端面，２８…（上側，他方の）端面，２９…貫通孔，２９ａ…開口端，３０…アンテナ取付具，３１…固定具，３２…基体，３３…Ｖ字状溝部（抱持手段），３４…ネジ孔，３５…当付面（当付手段），３６…貫通孔，３７…（下側，一方の）突出片，３７ａ…折返片，３７ｂ…当接部，３７ｃ…ネジ孔，３７ｄ…雌ネジ部，３７ｅ…鋸歯状部，３８…（上側，他方の）突出片，３８ａ…折返片，３８ｂ…当接部，３８ｃ…ネジ孔，３８ｄ…雌ネジ部，３８ｅ…鋸歯状部，３８ｆ…筒体，３８ｇ…連結部，３８ｈ…抱持部，３８ｋ…段差，３９…ボルト（螺合手段），３９ａ…首下，３９ａ…第１首下，３９ａ―２…第２首下，３９ｂ…第１雄ネジ部，３９ｃ…ボルト頭，３９ｄ…第２雄ネジ部，４０…受金具，４４…貫通孔，５０…アンテナマスト，５１…壁面，５３…木ネジ，５４…固着ボルト。
【図１】
2010226150.tif 000003
【図２】
2010226150.tif 000004
【図３】
2010226150.tif 000005
【図４】
2010226150.tif 000006
【図５】
2010226150.tif 000007
【図６】
2010226150.tif 000008
【図７】
2010226150.tif 000009
【図８】
2010226150.tif 000010
【図９】
2010226150.tif 000011
【図１０】
2010226150.tif 000012
【図１１】
2010226150.tif 000013
【図１２】
2010226150.tif 000014
【図１３】
2010226150.tif 000015
【図１４】
2010226150.tif 000016
【図１５】
2010226150.tif 000017